(57)【特許請求の範囲】
【請求項１】
壁枠組の内部に開口部を形成し、壁枠組の開口部を囲む周囲に面材を固定してなる壁パネルにおいて、
壁枠組の開口部を囲む周囲のうちの一部を枠材のない枠材欠除部とするとき、
枠材欠除部を被覆する面材の両端部に取付金物を設け、この取付金物を壁枠組の枠材欠除部を挟む両側の枠材に取着してなることを特徴とする壁パネル。
【請求項２】
前記壁枠組の開口部にサッシを固定してなる請求項１に記載の壁パネル。
【請求項３】
請求項１に記載の壁パネルを有してなるユニット建物。
【発明の詳細な説明】
【０００１】
【発明の属する技術分野】
本発明は壁パネル及びユニット建物に関する。
【０００２】
【従来の技術】
従来、壁パネルとして、壁枠組の内部に開口部を形成し、壁枠組の開口部を囲む周囲に面材を固定してなる壁パネルを工場生産し、これを建築現場に輸送して現地付けするものがある。特に、ユニット建物において、相隣る建物ユニットをまたぐ位置に開口を設けるようにし、開口位置の自由度を高めたり、建物ユニットの一辺の寸法を超える大開口を形成したいとき、上述の現地付けの壁パネルが採用される。
【０００３】
このような現地付けの壁パネルでは、壁パネルの開口部にサッシまで工場で取付け、壁パネルの面材とサッシの間の防水まで工場で完了させることが望まれる。
【０００４】
【発明が解決しようとする課題】
然るに、壁パネルを構成する壁枠組みの開口部を囲む周囲に渡る面材を１枚物により構成することは、当該面材が大版になりすぎて実現できない。そこで、従来技術では、壁枠組の開口部を囲む周囲をいくつかの領域に分割し、各領域に面材を割付け、各面材を対応する領域の枠材に固定することとしている。
【０００５】
然しながら、壁パネルの開口部を掃き出し窓等とする場合には、壁枠組の開口部を囲む周囲のうちの下部を枠材のない枠材欠除部としなければならない。このような壁パネルでは、壁枠組の開口部の下部領域に割付けられた面材に対応する枠材がなく、当該面材を固定できない。
【０００６】
本発明の課題は、壁パネルを構成する壁枠組の開口部を囲む周囲のうちで枠材のない枠材欠除部においても、面材を固定可能とすることにある。
【０００７】
【課題を解決するための手段】
請求項１の発明は、壁枠組の内部に開口部を形成し、壁枠組の開口部を囲む周囲に面材を固定してなる壁パネルにおいて、壁枠組の開口部を囲む周囲のうちの一部を枠材のない枠材欠除部とするとき、枠材欠除部を被覆する面材の両端部に取付金物を設け、この取付金物を壁枠組の枠材欠除部を挟む両側の枠材に取着してなるようにしたものである。
【０００８】
請求項２の発明は、請求項１の発明において更に、前記壁枠組の開口部にサッシを固定してなるようにしたものである。
【０００９】
請求項３の発明は、請求項１の壁パネルを有してなるユニット建物である。
【００１０】
【作用】
請求項１の発明によれば下記▲１▼の作用がある。
▲１▼壁パネルを構成する壁枠組の開口部を囲む周囲のうちの一部を枠材のない枠材欠除部とするとき、この枠材欠除部に割付けられた面材は、その両端部に設けた取付金物を壁枠組の当該枠材欠除部を挟む両側の枠材に取着することにより、当該枠材欠除部に固定できる。
【００１１】
請求項２の発明によれば▲２▼の作用がある。
▲２▼前述▲１▼の壁パネルは、壁枠組の開口部の周囲に枠材欠除部があっても、この枠材欠除部を含む開口部の全周に面材を予め固定できるから、工場生産段階においてこの開口部に固定されるサッシの全周で面材との間の防水を完結でき、壁パネルの工場生産化率を向上できる。
【００１２】
請求項３の発明によれは下記▲３▼の作用がある。
▲３▼ユニット建物に設けられる壁パネルとして前述▲１▼、▲２▼の現地付けの壁パネルを採用することにより、相隣る建物ユニットを跨ぐ位置に開口を設けるようにし、開口位置の自由度を高めたり、建物ユニットの一辺の寸法を超える大開口を形成できる。
【００１３】
【発明の実施の形態】
図１はユニット建物を示す正面図、図２は建物ユニットと壁パネルを示す斜視図、図３は壁パネルの構成部品を示し、（Ａ）は壁枠組を示す正面図、（Ｂ）は面材を示す正面図、図４は壁パネルの組立過程を示し、（Ａ）は全体斜視図、（Ｂ）は要部斜視図、図５は壁パネルを示す斜視図である。
【００１４】
ユニット建物１０は、図１に示す如く、１階部分が２個の建物ユニット（居室ユニット）１１Ａ、１１Ｂと２個の壁パネル１２Ａ、１２Ｂによって構成され、２階部分が２個の建物ユニット（居室ユニット）１３Ａ、１３Ｂによって構成され、屋根部分が２個の建物ユニット（屋根ユニット）１４Ａ、１４Ｂによって構成されている。
【００１５】
１階部分を構成する建物ユニット１１Ａ、１１Ｂは、図２に示す如く、平面形状が長方形の床パネル２１によって床を構成し、その床パネル２１の一方の長辺側外縁部に立設した桁壁パネル２２によって壁を構成している。従って、建物ユニット１１Ａ、１１Ｂでは、床パネル２１の両方の妻側の短辺側外縁部の全体を現地付けの壁パネル１２Ａ、１２Ｂの設置領域としている。
【００１６】
そして、ユニット建物１０にあっては、建物ユニット１１Ａ、１１Ｂ、壁パネル１２Ａ、１２Ｂを工場内で組立てた後に建築現場へ輸送し、建物ユニット１１Ａ、１１Ｂを建築現場の基礎の上に隣接させて据付ける。２個の仮パネル１２Ａ、１２Ｂは、基礎の上に据付けられた相隣る２個の建物ユニット１１Ａ、１１Ｂの両方の妻側のそれぞれにおいて、それら２個の建物ユニット１１Ａ、１１Ｂに跨ぐように現地付けされる。
【００１７】
壁パネル１２Ａは、図２、図５に示す如く、壁枠組３１の内部に、サッシ３４が固定される開口部３２を形成し、壁枠組３１の開口部３２を囲む周囲の両側部、上部、下部のそれぞれに面材３３Ａ、３３Ｂ、３３Ｃ、３３Ｄを割付け固定している。
【００１８】
このとき、壁パネル１２Ａは、開口部３２を掃き出し窓等とするため、壁枠組３１における開口部３２の下部を枠材のない枠材欠除部３５とするものであり、その工場生産段階での組立構造を以下の如くにしている（図３〜図５）。
【００１９】
(1)壁枠組３１を図３（Ａ）に示す如くに製作する。壁枠組３１の開口部３２を囲む周囲の両側部、上部を縦枠材３１Ａ、３１Ｂ、横枠材３１Ｃにより構成し、下部を前述の枠材欠除部３５とする。
【００２０】
(2)壁枠組３１の開口部３２を囲む周囲に図３（Ｂ）に示す如く、前述の面材３３Ａ〜３３Ｄを割付ける。
【００２１】
(3)壁枠組３１の両側部、上部に面材３３Ａ、３３Ｂ、３３Ｃを固定する（図４（Ａ））。面材３３Ａは縦枠材３１Ａに、面材３３Ｂは縦枠材３１Ｂに、面材３３Ｃは横枠材３１Ｃに固定される。
【００２２】
(4)壁枠組３１の下部の枠材欠除部３５を含む領域を被覆する面材３３Ｄの両端部に取付金物３６Ａ、３６Ｂを設ける（図４）。そして、面材３３Ｄに設けた取付金物３６Ａ、３６Ｂを壁枠組３１の枠材欠除部３５を挟む両側の縦枠材３１Ａ、３１Ｂに釘打ち等して、面材３３Ｄをそれらの縦枠材３１Ａ、３２Ｂに吊下げ取着する（図４（Ｂ））。
【００２３】
(5)壁枠組３１の面材３３Ａ〜３３Ｄで囲まれる開口部３２にサッシ３４を嵌め込み固定する。このとき、面材３３Ａ〜３３Ｄとサッシ３４との間を、乾式又は湿式のシール材によって防水シールする。
【００２４】
本実施形態によれば、以下の作用がある。
▲１▼壁パネル１２Ａを構成する壁枠組３１の開口部３２を囲む周囲のうちの一部を枠材のない枠材欠除部３５とするとき、この枠材欠除部３５に割付けられた面材３３Ｄは、その両端部に設けた取付金物３６Ａ、３６Ｂを壁枠組３１の当該枠材欠除部３５を挟む両側の縦枠材３１Ａ、３１Ｂに取着することにより、当該枠材欠除部３５に固定できる。
【００２５】
▲２▼前述▲１▼の壁パネル１２Ａは、壁枠組３１の開口部３２の周囲に枠材欠除部３５があっても、この枠材欠除部３５を含む開口部３２の全周に面材３３Ａ〜３３Ｄを予め固定できるから、工場生産段階においてこの開口部３２に固定されるサッシ３４の全周で面材３３Ａ〜３３Ｄとの間の防水を完結でき、壁パネル１２Ａの工場生産化率を向上できる。
【００２６】
▲３▼ユニット建物１０に設けられる壁パネル１２Ａとして前述▲１▼、▲２▼の現地付けの壁パネル１２Ａを採用することにより、相隣る建物ユニット１１Ａ、１１Ｂを跨ぐ位置に開口を設けるようにし、開口位置の自由度を高めたり、建物ユニット１１Ａ、１１Ｂの一辺の寸法を超える大開口を形成できる。
【００２７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の壁パネルは、ユニット建物に限らず、一般の建物にも適用できる。
【００２８】
【発明の効果】
以上のように本発明によれば、壁パネルを構成する壁枠組の開口部を囲む周囲のうちで枠材のない枠材欠除部においても、面材を固定できる。
【図面の簡単な説明】
【図１】図１はユニット建物を示す正面図である。
【図２】図２は建物ユニットと壁パネルを示す斜視図である。
【図３】図３は壁パネルの構成部品を示し、（Ａ）は壁枠組を示す正面図、（Ｂ）は面材を示す正面図である。
【図４】図４は壁パネルの組立過程を示し、（Ａ）は全体斜視図、（Ｂ）は要部斜視図である。
【図５】図５は壁パネルを示す斜視図である。
【符号の説明】
１０  ユニット建物
１２Ａ  壁パネル
３１  壁枠組
３２  開口部
３３Ａ〜３３Ｄ  面材
３４  サッシ
３５  枠材欠除部
３６Ａ、３６Ｂ  取付金物
【図１】
0004268742.tif 000002
【図２】
0004268742.tif 000003
【図３】
0004268742.tif 000004
【図４】
0004268742.tif 000005
【図５】
0004268742.tif 000006